(57)【要約】【課題】被印字材が傾斜していても正確な位置に印字することができる印字装置を提供する。【解決手段】コンベア１によって搬送されている鋼板２の上面に印字するための印字装置Ａであって、鋼板の上面に印字する印字ヘッド１０を有する印字部Ｂと、鋼板の傾きを検出する傾き検出部Ｃと、鋼板の厚さを検出する厚さ検出部Ｄと、鋼板の下流側の端部で且つ幅方向両端側近傍の高さを検出する両端側高さ検出部Ｅと、鋼板の厚さ方向の歪を検出する歪検出部Ｆと、鋼板の搬送速度を検出する搬送速度検出部Ｇと、予め印字すべき被印字材の板厚を含む仕様データ及び印字データを記憶し、傾き検出部Ｃによって検出した鋼板の傾きに応じて印字データの座標を変換し、厚さ検出部Ｄによって検出した厚さに対応させて印字部Ｂを昇降させるように制御する制御部３５と、を有する。【選択図】    図１
2020044755.tif 000002
【特許請求の範囲】
【請求項１】
コンベアによって搬送されている被印字材の上面に印字するための印字装置であって、
コンベアを跨いで移動不能に設置されたガーターと、該ガーターに対しコンベアによる搬送方向及びコンベアを横断する方向に移動可能に且つ昇降可能に搭載されコンベアによって搬送される被印字材の上面に対して印字する印字ヘッドと、を有する印字部と、
前記印字部よりもコンベアによる搬送方向上流側に配置され搬送される被印字材の傾きを検出する傾き検出部と、
前記印字部よりもコンベアによる搬送方向上流側に配置され被印字材の厚さを検出する厚さ検出部と、
前記印字部よりもコンベアによる搬送方向上流側に配置され被印字材の下流側の端部近傍で且つ幅方向両端側の高さを検出する両端側高さ検出部と、
前記印字部よりもコンベアによる搬送方向上流側であってコンベアを横断する方向に複数配置され被印字材の厚さ方向の歪を検出する歪検出部と、
前記印字部よりもコンベアによる搬送方向上流側に配置され被印字材の搬送速度を検出する搬送速度検出部と、
予め印字すべき被印字材の板厚を含む被印字材データ及び該被印字材に対する印字データを記憶し、前記傾き検出部によって検出した被印字材の傾きに応じて印字データの座標を変換し、前記厚さ検出部によって検出した厚さに対応させて前記印字部を昇降させるように制御する制御部と、
を有することを特徴とする印字装置。
【請求項２】
前記印字部は、前記ガーターに搭載されコンベアによる搬送方向と交差する方向に横行する第１キャリッジと、該第１キャリッジに搭載され、コンベアの搬送方向に沿って往復移動する第２キャリッジと、を有し、前記第２キャリッジに印字ヘッドが昇降可能に搭載されていることを特徴とする請求項１に記載した印字装置。
【請求項３】
前記傾き検出部は、前記印字部よりもコンベアによる搬送方向上流側に配置されて被印字材の長さ方向の端部を検出する長さ方向端部検出部材と、該長さ方向端部検出部材よりも搬送方向上流側に配置されて被印字材の幅方向の端部を検出する幅方向端部検出部材と、を有し、前記長さ方向端部検出部材による被印字材の長さ方向の端部の検出と前記幅方向端部検出部材による被印字材の幅方向の端部の検出を同期させることで被印字材の傾きを検出することを特徴とする請求項１又は２に記載した印字装置。
【請求項４】
前記両端側高さ検出部は、コンベアの搬送方向を横断する方向に移動可能に配置された一対の距離検出部材を有し、該一対の距離検出部材によって被印字材の表面との距離を検出することで該被印字材の両端部分の高さを検出することを特徴とする請求項１乃至３の何れかに記載した印字装置。
【請求項５】
前記歪検出部はコンベアを横断する方向に配置された複数の距離検出部材を有し、該複数の距離検出部材と対向する被印字材の上面の距離を検出することで、被印字材の厚さ方向の歪を検出することを特徴とする請求項１乃至４の何れかに記載した印字装置。
【請求項６】
前記搬送速度検出部は、コンベアによって搬送される被印字材の表面と接触して該被印字材の移動に伴って回転する回転体を有し、該回転体の回転を検出して被印字材の搬送速度を検出することを特徴とする請求項１乃至５の何れかに記載した印字装置。
【発明の詳細な説明】
【技術分野】
【０００１】
本発明は、コンベアによって搬送されている被印字材に対し、文字や数字或いは記号又は線を含む図形等を印字するための印字装置に関するものである。
【背景技術】
【０００２】
造船業や鉄構業或いはシヤリング業では、鋼板の表面に切断や溶接に関する情報となる文字や数字或いは線などを印字することが行われている。鋼板に印字する場合、該鋼板を作業領域に停止させておき、印字ヘッドを二次元的に移動させつつ、予め設定された文字や数字或いは線などを印字するのが一般的である。このような印字を行うための印字装置は、鋼板を載置する定盤と、定盤に沿って走行する台車と、台車に搭載され定盤を横断する方向に横行するキャリッジと、キャリッジに搭載された印字ヘッドを有して構成されている（例えば特許文献１参照）。
【０００３】
一方、特許文献２に記載された発明は、搬送装置によって搬送されている板材に対してマーキングを行えるようにした罫書装置に関するものである。この罫書装置は、搬送装置によって搬送される板材の板厚検出センサ、板耳検出センサと板面高さ検出センサ、及びドットマーキングヘッドを有して構成されている。ドットマーキングヘッドは、移動中の板材の全幅にわたって同時にマーキングができるように、マーキング装置の下面の全面に搬送装置を横断する方向に分布して配置されている。
【０００４】
そして、板厚検出センサによって検出した板厚に対応させてドットマーキングヘッドを昇降させて最適な高さを保持し、板耳検出センサによって検出した板耳の位置に対応させてドットマーキングヘッドを搬送装置を横断する方向に移動させ、この状態で板材に対するマーキングを実行している。特に、板面高さ検出センサはドットマーキングヘッドと同様にマーキング装置の下面に配置されており、板材に対するマーキングの直前で該板材の局部的変化を検出してこの変化に対応させるようにマーキング装置を追従させている。
【０００５】
特許文献２には、搬送装置の上流側には、ショッププライマー塗装乾燥機が配置された構成が記載されている。このため、板材に対するショッププライマーの塗装、乾燥、及び乾燥後のマーキングを一連の作業として行うことが可能となる。従って、マーキングのための特別な作業スペースや板材の運搬設備などが不要となり、合理的な作業を行うことができる。
【先行技術文献】
【特許文献】
【０００６】
【特許文献１】特許第４５７４１１０号公報
【特許文献２】特許第２７３６６０４号公報
【発明の概要】
【発明が解決しようとする課題】
【０００７】
特許文献１に記載された発明では、専用の作業スペースや専用のクレーン等の運搬設備などの設備が必要となるという問題が生じる。
【０００８】
特許文献２に記載された発明では、マーキング装置は横スライド機構、昇降機構からなる支持装置を有し、該支持装置によって搬送装置を横断する方向に並べて配置されたドットマーキングヘッドを同時に横スライド及び昇降させるように構成されている。このため、板材に高さ方向の歪が生じているような場合、個々のドットマーキングヘッドと板材との距離が等しくならなくなる虞があり、この結果、マーキングが不鮮明になる虞がある。
【０００９】
本発明の目的は、被印字材が傾斜していても正確な位置に印字することができる印字装置を提供することにある。
【課題を解決するための手段】
【００１０】
上記課題を解決するために本発明に係る印字装置は、コンベアによって搬送されている被印字材の上面に印字するための印字装置であって、コンベアを跨いで移動不能に設置されたガーターと、該ガーターに対しコンベアによる搬送方向及びコンベアを横断する方向に移動可能に且つ昇降可能に搭載されコンベアによって搬送される被印字材の上面に対して印字する印字ヘッドと、を有する印字部と、前記印字部よりもコンベアによる搬送方向上流側に配置され搬送される被印字材の傾きを検出する傾き検出部と、前記印字部よりもコンベアによる搬送方向上流側に配置され被印字材の厚さを検出する厚さ検出部と、前記印字部よりもコンベアによる搬送方向上流側に配置され被印字材の下流側の端部近傍で且つ幅方向両端側の高さを検出する両端側高さ検出部と、前記印字部よりもコンベアによる搬送方向上流側であってコンベアを横断する方向に複数配置され被印字材の厚さ方向の歪を検出する歪検出部と、前記印字部よりもコンベアによる搬送方向上流側に配置され被印字材の搬送速度を検出する搬送速度検出部と、予め印字すべき被印字材の板厚を含む被印字材データ及び該被印字材に対する印字データを記憶し、前記傾き検出部によって検出した被印字材の傾きに応じて印字データの座標を変換し、前記厚さ検出部によって検出した厚さに対応させて前記印字部を昇降させるように制御する制御部と、を有するものである。
【００１１】
上記印字装置に於いて、前記印字部は、前記ガーターに搭載されコンベアによる搬送方向と交差する方向に横行する第１キャリッジと、該第１キャリッジに搭載され、コンベアの搬送方向に沿って往復移動する第２キャリッジと、を有し、前記第２キャリッジに印字ヘッドが昇降可能に搭載されていることが好ましい。
【００１２】
上記何れかの印字装置に於いて、前記傾き検出部は、前記印字部よりもコンベアによる搬送方向上流側に配置されて被印字材の長さ方向の端部を検出する長さ方向端部検出部材と、該長さ方向端部検出部材よりも搬送方向上流側に配置されて被印字材の幅方向の端部を検出する幅方向端部検出部材と、を有し、前記長さ方向端部検出部材による被印字材の長さ方向の端部の検出と前記幅方向端部検出部材による被印字材の幅方向の端部の検出を同期させることで被印字材の傾きを検出することが好ましい。
【００１３】
上記何れかの印字装置に於いて、前記両端側高さ検出部は、コンベアの搬送方向を横断する方向に移動可能に配置された一対の距離検出部材を有し、該一対の距離検出部材によって被印字材の表面との距離を検出することで該被印字材の両端部分の高さを検出することが好ましい。
【００１４】
上記何れかの印字装置に於いて、前記歪検出部はコンベアを横断する方向に配置された複数の距離検出部材を有し、該複数の距離検出部材と対向する被印字材の上面の距離を検出することで、被印字材の厚さ方向の歪を検出することが好ましい。
【００１５】
上記何れかの印字装置に於いて、前記搬送速度検出部は、コンベアによって搬送される被印字材の表面と接触して該被印字材の移動に伴って回転する回転体を有し、該回転体の回転を検出して被印字材の搬送速度を検出することが好ましい。
【発明の効果】
【００１６】
本発明に係る印字装置では、コンベアによって搬送されている被印字材の上面に文字や数字或いは記号又は線を含む図形などを正確に印字することができる。即ち、本発明に係る印字装置では、被印字材に対して印字を実行する際に、印字部よりも搬送方向上流側で、被印字材の搬送方向に対する傾き、板厚、幅方向両端部分の高さ、被印字材の搬送速度、を検出している。このため、検出した被印字材の姿勢や歪などの条件に対応させて、印字すべき印字データの座標の変換、或いは印字ヘッドの搬送面からの高さの調整、を行って印字を実行することができる。
【００１７】
また、印字ヘッドが、コンベアによる搬送方向と交差する方向に横行すると共に搬送方向に沿って往復移動し且つ昇降可能に構成されているので、被印字材に対する印字を実行する過程で、検出された被印字材の両端部分の高さや厚さ方向の歪に追従することができる。特に、印字ヘッドが搬送方向を横断する方向に印字する過程で、昇降した場合であっても、該印字ヘッドを構成するノズルどうしの被印字材に対する距離の差が小さいため、形成された印字に不都合が生じることがない。
【００１８】
また、傾き検出部が、長さ方向端部検出部材による被印字材の下流側の端部を検出すると同期して幅方向の端部を検出するので、確実に被印字材の傾きを検出することができる。
【００１９】
また、傾き検出部が、幅方向端部検出部材により幅方向の端部を検出するとき、被印字材との距離を検出するので、コンベアによる搬送方向と交差する横方向に対する被印字材のずれ量を検出することができる。該ずれ量により、印字データをオフセットできる。すなわち、前記ずれ量だけ印字データを移動させることで、求められる位置に正確に印字することができる。
【００２０】
両端側高さ検出部が、コンベアの搬送方向を横断する方向に移動可能に配置された一対の距離検出部材によって被印字材の表面との距離を検出するので、被印字材に捻れや部分的な高さの差が生じていてもこれらを検出することができる。このため、厚さ検出部で検出した被印字材の厚さに加えて幅方向両端部分の高さによっても印字ヘッドの高さを調整することができる。
【００２１】
また、歪検出部が、被印字材の厚さ方向の歪を検出するので、検出した被印字材の歪に対応させて印字ヘッドを追従させることができる。
【００２２】
また、搬送速度検出部が、被印字材の表面と接触して回転する回転体を有し、該回転体の回転を検出して被印字材の搬送速度を検出するので、コンベアの搬送面との間にすべりが生じたような場合でも、実際の正確な搬送速度を検出することで、検出した搬送速度に応じて印字ヘッドの移動速度を制御して印字を実行することができる。
【図面の簡単な説明】
【００２３】
【図１】本実施例に係る印字装置の構成を説明する模式平面図である。
【図２】図１の側面図である。
【図３】印字部の構成を説明する模式正面図である。
【図４】厚さ検出部の構成を説明する模式正面図である。
【図５】両端側高さ検出部の構成を説明する模式正面図である。
【図６】制御部の構成を説明するブロック図である。
【発明を実施するための形態】
【００２４】
本発明に係る印字装置は、コンベアによって搬送されている例えば鋼板などの被印字材の搬送方向に対する傾き、面外方向への反りや歪などを検出し、検出した傾き、反りや歪に対応させて印字ヘッドを駆動し、或いは印字することなく通過させるようにしたものである。
【００２５】
以下、本実施例に係る印字装置について図を用いて説明する。図１に示す印字装置Ａは、コンベア１によって矢印Ｘ方向（以下「下流方向」又は「搬送方向」ともいう）に搬送されている鋼板などの被印字材（以下「鋼板２」という）の上面の予め設定された位置に文字や数字或いは記号又は線を含む図形等を印字するものである。
【００２６】
このため、印字装置Ａは、鋼板２に印字するための印字部Ｂと、鋼板２の傾きを検出する傾き検出部Ｃと、鋼板２の厚さを検出する厚さ検出部Ｄと、鋼板２の下流側端部２ａの近傍で且つ幅方向端部２ｂ１、２ｂ２近傍の高さを検出する両端側高さ検出部Ｅと、鋼板２の厚さ方向の歪、例えば反りなどを検出する歪検出部Ｆと、鋼板２の搬送速度を検出する搬送速度検出部Ｇと、を有して構成されている。
【００２７】
コンベア１は鋼板２を矢印Ｘ方向に搬送するものである。このため、鋼板２を載置して搬送する機能を有するものであれば構造を限定するものではない。このようなコンベアとしては、ローラコンベアやスラットコンベア或いはベルトコンベアなどがあるが、鋼板の重量や反りなどを考慮するとローラコンベアであることが好ましい。
【００２８】
本実施例では、コンベア１として複数のローラを並べて構成したローラコンベアを用いており、これらのローラを予め設定された搬送速度となるように駆動することで、鋼板２を搬送している。
【００２９】
鋼板２の表面の状態を限定するものではなく、黒皮の状態や除錆した状態或いは塗装した状態であっても良い。本実施例では、鋼板２として表面に防錆塗装が施されたものを対象としている。即ち、コンベア１の搬送方向上流側にサンドブラスト装置と塗装装置が設置されており、鋼板２がこれらの装置を通過する過程で表面が除錆され、除錆された表面に防錆塗料が塗装されている。このため、鋼板２はサンドブラスト処理、塗装処理に適した速度で搬送されている。
【００３０】
印字部Ｂは印字装置Ａに於ける最も下流側に配置されている。印字部Ｂは移動可能に構成された印字ヘッド１０を有しており、該印字ヘッド１０をコンベア１を横断する方向及び搬送方向に移動させつつ駆動することで、搬送されている鋼板２の予め設定された位置に印字することが可能である。
【００３１】
印字部Ｂはコンベア１を跨いで設置されたガーター１１を有している。このガーター１１には、第１キャリッジ駆動モータ１２ａに駆動されてコンベア１による搬送方向（矢印Ｘ方向）と交差する方向に横行可能に構成された第１キャリッジ１２が搭載されている。また、第１キャリッジ１２には、第２キャリッジ駆動モータ１３ａに駆動されてコンベア１による搬送方向に移動可能に構成された第２キャリッジ１３が搭載されている。更に、第２キャリッジ１３には、昇降モータ１４ａに駆動されてコンベア１の垂直方向（矢印Ｚ方向、以下単に「垂直方向」ともいう）に昇降可能に構成された昇降ブラケット１４が配置されており、該昇降ブラケット１４に印字ヘッド１０が搭載されている。従って、駆動モータ１２ａ、１３ａ及び昇降モータ１４ａを駆動することで、印字ヘッド１０を三次元的に移動させることが可能である。
【００３２】
印字ヘッド１０は鋼板２の上面に文字や数字或いは記号又は線を含む図形等を印字する機能を有するものであれば良く、構成を限定するものではない。このような印字ヘッドとしては、単独のノズルからインクを噴射して線状の印字を行う線状マーキングヘッドや、マトリックス状に配置した複数のノズルから選択的にインクを噴射してマーキングを行うドットマーキングヘッドがある。本実施例では、ドットマーキングヘッドを利用している。
【００３３】
第１キャリッジ１２は、搭載された印字ヘッド１０を予め設定された鋼板２の最大幅寸法を満足する距離に対応させて横行させ得るように構成されている。そして、通常はコンベア１の幅方向の何れか一方の端部側に設定された初期位置に退避した状態を保持している。
【００３４】
また、第２キャリッジ１３は、長さがコンベア１による鋼板２の搬送速度と鋼板２の最大幅寸法とに対応させて設定されている。そして、通常はコンベア１の搬送方向上流側の端部に設定された初期位置に退避した状態を保持している、
【００３５】
また、昇降ブラケット１４は、通常印字ヘッド１０を上昇限に設定された初期位置に退避させた状態を保持している。
【００３６】
第１キャリッジ１２及び第２キャリッジ１３、昇降ブラケット１４が初期位置にある状態で鋼板２に対する印字を開始するに場合の動作を説明する。先ず、昇降ブラケット１４によって印字ヘッド１０を鋼板２の上面から距離（高さ）が予め設定された寸法となるまで下降させる。次いで、第２キャリッジ１３及び印字ヘッド１０を第１キャリッジ１２によって矢印Ｙ方向（以下「コンベア１の幅方向」ともいう）に横行させつつ、第２キャリッジ１３によって鋼板２の搬送速度に対応させて矢印Ｘ方向に移動させる。この移動過程で印字ヘッド１０を駆動することで、鋼板２に対する印字を行うことが可能である。
【００３７】
傾き検出部Ｃは印字部Ｂよりもコンベア１による搬送方向上流側に配置されており、搬送されている鋼板２の傾きを該鋼板２が印字部Ｂに到達する以前に検出するものである。このため、傾き検出部Ｃは、鋼板２の長さ方向の下流側の端部２ａを検出する長さ方向端部検出部材１８と、該長さ方向端部検出部材１８よりも搬送方向上流側に配置されて被印字材の幅方向の端部となる幅方向の端面２ｃを検出する一対の幅方向端面検出部材１９ａ、１９ｂとを有している。
【００３８】
長さ方向端部検出部材１８、幅方向端面検出部材１９ａ、１９ｂによる鋼板２の検出機構は限定するものではなく、接触式センサや非接触式センサであって良い。本実施例では、各検出部材として夫々非接触式のレーザセンサを用いている。
【００３９】
長さ方向端部検出部材１８はコンベア１の上方であって幅方向の略中央に垂直方向に配置されている。また、一対の幅方向端面検出部材１９ａ、１９ｂはコンベア１の幅方向一方側であってコンベア１の搬送面よりも上方に且つ予め設定された距離離隔して該コンベア１の中央方向に向けて平行に配置されている。そして、長さ方向端部検出部材１８による鋼板２の長さ方向の端部２ａの検出と幅方向端面検出部材１９ａ、１９ｂによる鋼板２の幅方向の端面２ｃの検出を同期させることで、鋼板２の搬送方向に対する傾きを検出することが可能である。
【００４０】
傾き検出部Ｃで検出した鋼板２の傾きに応じて、後述する制御部３５では、予め記憶している鋼板２に対する印字データの座標を変換し、変換された印字データによって印字ヘッド１０を駆動制御することが可能となる。
【００４１】
厚さ検出部Ｄは印字部Ｂよりもコンベア１による搬送方向上流側に配置されており、コンベア１によって搬送されている鋼板２の厚さを該鋼板２が印字部Ｂに到達する以前に検出するものである。このため、厚さ検出部Ｄは鋼板２の厚さを検出する厚さ検出部材２０を有している。厚さ検出部材２０はレーザセンサによって構成されており、コンベア１の幅方向の略中央に垂直方向に配置されている。
【００４２】
厚さ検出部材２０は、コンベア１の垂直方向に該コンベア１による搬送面（並列したローラの頂点を結ぶ面）から予め設定された高さＨに配置されている。そして、予め設定された高さＨと鋼板２の表面を検出したときの距離ｈとの差から鋼板２の厚さｔを検出し得るように構成されている。
【００４３】
厚さ検出部Ｄで検出した鋼板２の厚さｔに応じて、後述する制御部３５では、予め記憶している鋼板２の厚さと検出した厚さｔを比較し、印字ヘッド１０を鋼板２の表面からの距離が印字を実行するのに最適な高さとなるように下降させる。特に、検出した鋼板２の厚さｔが予め記憶している厚さと異なるような場合、印字対象の鋼板ではないと判断して印字部Ｂを通過させるように制御する。
【００４４】
厚さ検出部材２０による鋼板２の厚さの検出タイミングは特に限定するものではないが、前述した傾き検出部Ｃに於ける長さ方向端部検出部材１８による鋼板２の長さ方向の端部２ａの検出と同期させることが好ましい。しかし、この場合には厚さ検出部材２０と長さ方向端部検出部材１８との距離が鋼板２の長さによって制限を受けることとなる。このため、必ずしも厚さ検出部材２０による鋼板２の厚さｔの検出と、長さ方向端部検出部材１８による鋼板２の長さ方向の端部２ａの検出を同期させることに限定するものではない。
【００４５】
上記の如く、鋼板２に対して印字を実行する際には、厚さ検出部Ｄで検出した鋼板２の厚さｔに対応させて印字ヘッド１０の鋼板２の表面からの高さを設定する。この場合、鋼板２が幅、長さ方向にわたって平坦であれば表面も平坦であり、円滑な印字を実行することが可能である。しかし、鋼板２が全面にわたって平坦であることの保証はない。そして、厚さ検出部Ｄでは、厚さ検出部材２０がコンベア１の幅方向の略中央に配置されているため、鋼板２が幅方向の反りが生じているような場合、反り上がった鋼板２の端部が印字ヘッド１０に衝突する虞が生じる。このため、両端側高さ検出部Ｅによって鋼板２の幅方向両端部近傍の高さを検出することで、該鋼板２の反りを検出しうるように構成されている。
【００４６】
両端側高さ検出部Ｅは、印字部Ｂよりもコンベア１による搬送方向上流側に配置され、搬送されている鋼板２の下流側の幅方向の両端部近傍の高さを該鋼板２が印字部Ｂに到達する以前に検出するものである。そして、検出した鋼板２の幅方向の両端部近傍の高さｈｂ１、ｈｂ２と、厚さ検出部Ｄで検出した鋼板２の厚さｔとの差によって印字ヘッド１０の高さを補正して印字を実行し得るように構成されている。
【００４７】
両端側高さ検出部Ｅはコンベア１を横断する方向に移動可能に構成された一対の距離検出部材２３ａ、２３ｂを有しており、該一対の距離検出部材２３ａ、２３ｂによって鋼板２の幅方向両端部近傍２ｂ１、２ｂ２の表面との距離を検出することでこれらの高さを検出し得るように構成されている。鋼板２の幅方向の端部近傍とは、長さ方向の端部２ａからの寸法及び幅方向の端面２ｃからの寸法を厳密に限定するものではなく、略端部の近傍であれば良い。
【００４８】
このため、一対の距離検出部材２３ａ、２３ｂは、コンベア１によって搬送される鋼板２の幅方向の端部近傍に対向する位置まで移動し得るように構成されている。即ち、コンベア１の搬送方向に沿った両側であって且つ対向する位置に夫々スタンド２４が設置されており、これらのスタンド２４には、駆動モータ２６ａ、２６ｂによって駆動されてコンベア１を横断する方向に移動するアーム２５ａ、２５ｂが配置されている。そして夫々のアーム２５ａ、２５ｂの先端に距離検出部材２３ａ、２３ｂが取り付けられている。
【００４９】
夫々の距離検出部材２３ａ、２３ｂは、厚さ検出部材２０と同様にレーザセンサによって構成されており、コンベア１の垂直方向に該コンベア１による搬送面から予め設定された高さＨに配置されている。そして、予め設定された高さＨと鋼板２の幅方向の端部近傍の表面を検出したときの距離との差から該近傍の高さｈｂ１、ｈｂ２を検出し得るように構成されている。
【００５０】
両端側高さ検出部Ｅは、単に鋼板２の幅方向の端部近傍のみの高さを検出するのみに限定するものではなく、アーム２５ａ又はアーム２５ｂをコンベア１を横断する方向に繰り出して鋼板２の幅方向に位置を変えて高さを検出し得るように構成することが好ましい。特に、鋼板２に対する印字の進行に伴う印字ヘッド１０の横行位置と、鋼板２の搬送速度に関連つけて先行して鋼板２の高さを検出しておくことで、検出した高さに対応させて印字ヘッド１０の高さを補正することが可能となる。
【００５１】
歪検出部Ｆは印字部Ｂよりも搬送方向上流側に配置され、鋼板２の幅方向の凹凸を検出することで厚さ方向の歪を検出するものである。即ち、前述したように鋼板２が全面にわたって平坦であることの保証はなく、幅方向及び、又は長さ方向に波打つような歪が生じていることがある。鋼板２に大きな歪が生じているような場合、この歪に対して印字ヘッド１０が追従し得なくなる虞が生じたり、形成された印字の品質が低下してしまう虞が生じる。このため、鋼板２に大きな歪が生じていることを検出した場合、この鋼板２に対する印字を中止して印字部Ｂを通過させることが好ましい。
【００５２】
歪検出部Ｆは、コンベア１を横断して設置されたフレーム２８に予め設定された間隔を持って複数の距離検出部材２９を配置して構成されている。距離検出部材２９はレーザセンサを利用しており、コンベア１の垂直方向に互いに同じ高さＨに設定されてフレーム２８に取り付けられている。隣接する距離検出部材２９どうしの間隔は特に限定するものではなく、予め設定された鋼板２の最大幅寸法や想定した歪に応じて適宜設定することが好ましい。
【００５３】
鋼板２は予め設定された速度で駆動されるコンベア１によって搬送されている。しかし、鋼板２とコンベア１との間に滑りが生じる虞があり、コンベア１の駆動速度と鋼板２が実際に搬送されている速度とが一致しないことがある。この場合、鋼板２に対して実行された印字が目的の位置からずれることとなる。このため、鋼板２の実際の搬送速度を検出して検出した搬送速度に対応させて印字ヘッド１０を駆動することが必要となる。
【００５４】
搬送速度検出部Ｇは鋼板２の実際の搬送速度を検出するものであり、印字部Ｂよりもコンベア１による搬送方向上流側であってコンベア１の幅方向の略中央に配置されている。搬送速度検出部Ｇは、搬送されている鋼板２の表面に接触して該鋼板２の搬送に伴って回転する回転体３１と、フレーム２８に支持されて該回転体３１を鋼板２の表面に対して押圧する押圧部材３２を有している。
【００５５】
そして、回転体３１の回転を図示しないロータリーエンコーダによって検出することで鋼板２の搬送速度を検出し得るように構成されている。特に、回転体３１は押圧部材３２によって略一定の力で鋼板２の表面に押圧されている。このため、回転体３１と鋼板２の表面との間で滑りが生じる虞がなく、且つ鋼板２の長手方向に凹凸が生じているような場合でもこの凹凸に追従することが可能であり、鋼板２の正確な搬送速度を検出することが可能となる。
【００５６】
本実施例では、回転体３１は鋼板２の上面に接触することで、該鋼板２の搬送に伴って回転するように構成されている。しかし、回転体３１が接触する表面は鋼板２の上面にのみ限定するものではなく、下面であっても側面であっても良い。
【００５７】
制御部３５は入力装置３６から入力された印字データを記憶する印字データ記憶部３５ａと、印字装置Ａを構成する印字部Ｂ、傾き検出部Ｃ、厚さ検出部Ｄ、両端側高さ検出部Ｅ、歪検出部Ｆ、搬送速度検出Ｇの動作プログラムを記憶するプログラム記憶部３５ｂと、演算部３５ｃを有して構成されている。
【００５８】
印字データ記憶部３５ａには、予め入力装置３６から目的の鋼板２の板厚や長寸法、長さ寸法などの仕様情報や印字すべき印字情報が入力され、仕様データ、印字データとして記憶されている。また、プログラム記憶部３５ｂにはコンベア１の上流側から供給された鋼板２に対する各部Ｂ〜Ｇの動作プログラムが予め記憶されている。
【００５９】
次に、上記の如く構成された印字装置Ａにより鋼板２に対する印字の進行について説明する。
【００６０】
コンベア１の上流側から鋼板２が供給され、該鋼板２の仕様情報がコンベア１の上流側に配置された例えばサンドブラスト装置から制御部３５に伝達され、或いは入力されると、鋼板２に設定された仕様データや印字データが読みだされる。
【００６１】
コンベア１によって搬送された鋼板２の長手方向下流側の端部２ａが傾き検出部Ｃの長さ方向端部検出部材１８によって検出されると、同時に、幅方向端面検出部材１９ａ、１９ｂによって鋼板２の幅方向の端面２ｃまでの距離が検出されて制御部３５に送られる。制御部３５では、夫々の幅方向端面検出部材１９ａ、１９ｂによって検出した端面２ｃまでの距離の差に基づいて鋼板２の傾きを算出し、この算出結果に基づいて記憶した印字データの座標を変換する。
【００６２】
長さ方向端部検出部材１８による鋼板２の長手方向の端部２ａの検出と同時に、厚さ検出部Ｄの厚さ検出部材２０によって鋼板２の表面までの距離を検出し、検出した距離ｈが制御部３５に送られる。制御部３５では、コンベア１から厚さ検出部材２０の高さＨと検出した距離ｈとから得た鋼板２の厚さｔを予め記憶した鋼板２の仕様データと比較し、両者の差が許容範囲にあれば目的の鋼板であると判断する。
【００６３】
供給された鋼板２が印字対象となる目的の鋼板であると判断した場合、搬送方向下流側に後続する両端側高さ検出部Ｅ、歪検出部Ｆ、搬送速度検出部Ｇ及び印字部Ｂを夫々予め設定された動作プログラムに従って制御する。このとき、印字部Ｂの昇降ブラケット１４の昇降モータ１４ａには、印字ヘッド１０を鋼板２の表面から離隔させるべき高さが指定される。
【００６４】
また、鋼板２の厚さが予め記憶した仕様データから逸脱している場合、供給された鋼板２は目的の鋼板ではないと判断し、印字対象ではないとして搬送方向下流側に後続する両端側高さ検出部Ｅ、歪検出部Ｆ、搬送速度検出部Ｇ及び印字部Ｂを通過させる。
【００６５】
コンベア１によって搬送されている鋼板２が印字対象である場合、制御部３５からの指令に基づいて両端側高さ検出部Ｅの駆動モータ２６ａ、２６ｂが回転してアーム２５ａ、２５ｂを夫々コンベア１を横断する方向に繰り出す。アーム２５ａ、２５ｂの繰り出しによって、距離検出部材２３ａ、２３ｂを鋼板２の幅方向の端部２ｂ１、２ｂ２の近傍に対向させる。
【００６６】
そして、各距離検出部材２３ａ、２３ｂによって鋼板２の幅方向の両端近傍の高さｈｂ１、ｈｂ２を検出して制御部３５に送る。制御部３５では、距離検出部材２３ａ、２３ｂによって検出した鋼板２の幅方向の両端近傍の高さｈｂ１、ｈｂ２と、厚さ検出部Ｄで検出した鋼板２の厚さとを比較する。
【００６７】
両者に差が生じている場合、この差が許容範囲内であれば、この差に基づいて印字部Ｂの昇降モータ１４ａに対し印字ヘッド１０の鋼板２の表面からの高さの値を補正する。また、両者の差が許容範囲を逸脱しているような場合、鋼板２に対して印字を実行することが不可能と判断して後続する歪検出部Ｆ、搬送速度検出部Ｇ及び印字部Ｂを通過させる。
【００６８】
コンベア１によって搬送されている印字対象となる鋼板２が歪検出部Ｆに到達すると、該歪検出部Ｆに配置された複数の距離検出部材２９によって同時に鋼板２の表面までの距離が検出されて制御部３５に送られる。制御部３５では送られた各距離検出部材２９からの距離どうしを比較することで、鋼板２の幅方向の歪、即ち凹凸の具合を検知する。そして、歪の具合が許容範囲内であれば、この歪に基づいて印字部Ｂの昇降モータ１４ａに対し印字ヘッド１０の鋼板２の表面からの高さの値を補正する。また、両者の差が許容範囲を逸脱しているような場合、鋼板２に対する印字を実行することが不可能と判断して後続する歪検出部Ｆ、搬送速度検出部Ｇ及び印字部Ｂを通過させる。
【００６９】
コンベア１によって搬送されている印字対象となる鋼板２が搬送速度検出部Ｇに到達すると、押圧部材３２によって回転体３１が鋼板２の表面に押圧され、該回転体３１は鋼板２の搬送に伴って回転する。回転体３１の回転は該回転体３１に内蔵又は接続されたロータリーエンコーダによって検出されて制御部３５に送られ、該制御部３５で鋼板２の正確な搬送速度が検出される。そして、検出された正確な鋼板２の搬送速度に基づいて、印字部Ｂの第１キャリッジ１２の駆動モータ１２ａ、第２キャリッジ１３の駆動モータ１３ａの駆動が制御される。
【００７０】
制御部３５では、厚さ検出部Ｄで検出された鋼板２厚さに基づいて印字ヘッド１０の高さを設定し、傾き検出部Ｃで検出した鋼板２の傾きに対応させて印字データの座標を変換し、更に、搬送速度検出部Ｇで検出された鋼板２の正確な搬送速度に基づいて第１キャリッジ１２、第２キャリッジ１３の速度を設定して夫々を駆動することで、鋼板２に対して目的の印字を実行することが可能である。そして、両端側高さ検出部Ｅ、歪検出部Ｆで検出された高さの違いに基づいて印字ヘッド１０の高さを補正することで、明瞭な印字を実行することが可能である。
【産業上の利用可能性】
【００７１】
本発明に係る印字装置は、鋼板に限定することなくコンベアによって搬送される板状の材に対して印字する際に利用して有利である。
【符号の説明】
【００７２】
Ａ                  印字装置
Ｂ                  印字部
Ｃ                  傾き検出部
Ｄ                  厚さ検出部
Ｅ                  両端側高さ検出部
Ｆ                  歪検出部
Ｇ                  搬送速度検出部
１                  コンベア
２                  鋼板
２ａ                端部
２ｂ１、２ｂ２      幅方向両端部近傍
２ｃ                端面
１０                印字ヘッド
１１                ガーター
１２                第１キャリッジ
１２ａ              第１キャリッジ駆動モータ
１３                第２キャリッジ
１３ａ              第２キャリッジ駆動モータ
１４                昇降ブラケット
１４ａ              昇降モータ
１８                長さ方向端部検出部材
１９ａ、１９ｂ      幅方向端面検出部材
２０                厚さ検出部材
２３ａ、２３ｂ      距離検出部材
２４                スタンド
２５ａ、２５ｂ      アーム
２６ａ、２６ｂ      駆動モータ
２８                フレーム
２９                距離検出部材
３１                回転体
３２                押圧部材
３５                制御部
３５ａ              印字データ記憶部
３５ｂ              プログラム記憶部
３５ｃ              演算部
３６                入力装置
【図１】
2020044755.tif 000003
【図２】
2020044755.tif 000004
【図３】
2020044755.tif 000005
【図４】
2020044755.tif 000006
【図５】
2020044755.tif 000007
【図６】
2020044755.tif 000008